(57)【特許請求の範囲】
【請求項１】
出入口が形成された仕切りパネルの一側部に取付けられる掛け具と、前記出入口を開閉する扉の戸先側内面に取り付けられる受け具とから成り、前記掛け具が仕切りパネルの一側部内面に取り付けられる固定座と、その固定座の表面に後端部が対向し、固定座の軸心を中心として揺動自在に支持されたレバーとを有し、前記レバーの先端部を前記受け具に係合させて扉を閉鎖状態に保持する打掛け錠において、前記レバーの長さ方向中央部に、曲げ角度を同一とし、折曲げ方向が異なる第１屈曲部と第２屈曲部を間隔をおいて形成して、レバーの先端部と後端部の相互間に、閉鎖状態とされた扉の戸先側の側部が仕切りパネルの一側部に前後で対向する扉装置の前記扉と仕切りパネルの内側表面の段差のほぼ１／２に相当する大きさの段差を形成し、前記レバーの先端部に、その先端部の表裏に貫通するねじの締付けにより摘みを着脱自在に取付けたことを特徴とする打掛け錠。
【発明の詳細な説明】
【０００１】
【発明の属する技術分野】
この発明は、トイレ、特にスーパー等の商業施設や病院等に設けられた公衆トイレの扉を施解錠する打掛け錠に関するものである。
【０００２】
【従来の技術】
公衆トイレの扉を施解錠する打掛け錠として、掛け具と受け具とから成り、前記掛け具に設けられた揺動自在のレバーを受け具に係合させて扉を閉鎖状態に保持するようにしたものが従来から知られている。
【０００３】
ここで、上記打掛け錠によって閉鎖状態に保持される公衆トイレの扉装置には、図６（Ｉ）に示すように、仕切りパネルＡに形成された出入口ａを開閉自在の扉によって閉鎖する状態で扉Ｂの表面と仕切りパネルＡの表面がほぼ同一の平面を形成するスタンダードタイプのものと、図６（II）に示すように、閉鎖状態とした扉Ｂの戸先側の側部が仕切りパネルＡの一側部内面に前後で対向して、扉Ｂの内側表面と仕切りパネルＡの内側表面間に段差Ｈが形成されるパブリックタイプのものとが存在する。なお、図６（II）に示すＣは戸当りゴムを示す。
【０００４】
【発明が解決しようとする課題】
ところで、従来の打掛け錠においては、スタンダードタイプの扉装置とパブリックタイプの扉装置の両方に共通して使用することができず、従来では、各タイプの扉装置に対応する専用の打抜け錠を製作して取り付けるようにしており、きわめて不経済であった。
【０００５】
この発明の課題は、スタンダードタイプの扉装置とパブリックタイプの扉装置の両方に使用することができるようにした打掛け錠を提供することである。
【０００６】
【課題を解決するための手段】
上記の課題を解決するために、この発明においては、出入口が形成された仕切りパネルの一側部に取付けられる掛け具と、前記出入口を開閉する扉の戸先側内面に取り付けられる受け具とから成り、前記掛け具が仕切りパネルの一側部内面に取り付けられる固定座と、その固定座の表面に後端部が対向し、固定座の軸心を中心として揺動自在に支持されたレバーとを有し、前記レバーの先端部を前記受け具に係合させて扉を閉鎖状態に保持する打掛け錠において、前記レバーの長さ方向中央部に、曲げ角度を同一とし、折曲げ方向が異なる第１屈曲部と第２屈曲部を間隔をおいて形成して、レバーの先端部と後端部の相互間に、閉鎖状態とされた扉の戸先側の側部が仕切りパネルの一側部に前後で対向する扉装置の前記扉と仕切りパネルの内側表面の段差のほぼ１／２に相当する大きさの段差を形成し、前記レバーの先端部に、その先端部の表裏に貫通するねじの締付けにより摘みを着脱自在に取付けた構成を採用したのである。
【０００７】
上記のように、レバーの先端部と後端部間に、図６（II）で示すパブリックタイプの扉装置の扉Ｂと仕切りパネルＡの内側表面の段差Ｈのほぼ１／２に相当する大きさの段差を設けることにより、そのレバーの先端部が固定座の一側部に位置するようにして掛け具を組み立てることにより、スタンダードタイプの扉装置に対応することができる。
【０００８】
また、上記の状態からレバーの表裏を反転し、レバー先端部が固定座の表面から軸方向に離間する配置とされるよう掛け具を組み立てることによりパブリックタイプの扉装置に対応することができ、一種類の打掛け錠をスタンダードタイプおよびパブリックタイプの両方の扉装置に対して適用することができる。
【０００９】
【発明の実施の形態】
以下、この発明の実施の形態を図面に基づいて説明する。図１は、この発明に係る打掛け錠を図６（Ｉ）に示すスタンダードの扉装置に取り付けた状態を示す。
【００１０】
打掛け錠は、仕切りパネルＡの内面一側部に取り付けられる掛け具１と、仕切りパネルＡの出入口ａを開閉する扉Ｂの戸先側内面に取り付けられた受け具４０とから成る。
【００１１】
掛け具１は、仕切りパネルＡの内面に取り付けられる固定座２を有し、その固定座２に複数のビス挿入孔３が形成されている。固定座２は各ビス挿入孔３に挿入されるビス４を仕切りパネルＡの外面に衝合された取付プレート５のねじ孔６にねじ係合して締付けることにより固定される。
【００１２】
固定座２には、室内側の表面から順に、ばね収納凹部７、軸挿入孔８および凹部９が同軸上に設けられ、前記軸挿入孔８に回転座１０の背面に設けられた段付きの駆動軸１１が挿入されて回転自在に支持されている。駆動軸１１の前記凹部９内に位置する先端部には、その駆動軸１１を抜け止めする止め輪１３が取付けられている。
【００１３】
回転座１０は、その外側に嵌合したカバー１４によって覆われている。カバー１４は回転座１０に対して着脱自在に取付けられている。
【００１４】
回転座１０と固定座２との間にはレバー１５の後端部に設けられた円板部１６が配置されている。円板部１６には複数の係合孔１７が形成され、その係合孔１７と回転座１０の背面に設けられた突軸１８の係合によって、レバー１５と回転座１０が一体に回転するようになっている。
【００１５】
レバー１５はカバー１４を貫通して外部に臨み、その長さ方向の中央部には曲げ角度が同一で折曲げ方向が異なる第１屈曲部１９ａと第２屈曲部１９ｂがレバー１５の長さ方向に間隔をおいて形成されている。その第１屈曲部１９ａと第２屈曲部１９ｂの形成により、レバー１５の先端部と後端部の相互間に段差ｈが形成され、その段差ｈは図６（II）に示すパブリックタイプの扉装置における扉Ｂと仕切りパネルＡの内側表面間に形成された段差Ｈのほぼ１／２に相当する大きさとされている。
【００１６】
レバー１５の先端部にはレバーカバー２０と摘み２１とがねじ２２の締付けによって着脱自在に取付けられ、前記レバーカバー２０は受け具４０に対して係脱自在とされ、その係合状態で扉Ｂは閉鎖状態に保持される。ここで、係合状態とは受け具４０にレバー１５の先端部が支持される状態をいう。
【００１７】
なお、レバーカバー２０を省略してもよい。
【００１８】
図３に示すように、前記取付プレート５の表面には表示体２３が衝合されている。表示体２３は取付プレート５に形成された孔２４および仕切りパネルＡに形成された貫通孔ｄに挿入される軸部２５を背面に有し、その軸部２５に取付けられた止め輪２６は取付プレート５の背面に対向して孔２４から軸部２５が抜け出るのを防止している。
【００１９】
表示体２３の軸部２５と回転座１０に設けられた駆動軸１１は角軸２７により連結され、回転座１０が回転すると、表示体２３も共に回転するようになっている。
【００２０】
表示体２３には球形表面２３ａが形成され、その球形表面２３ａの外周部に使用中および未使用の表示が設けられている。ここで、表示は文字表示であってもよく、異色の着色による表示であってもよい。
【００２１】
前記表示体２３は表示カバー２８によって覆われている。表示カバー２８は取付プレート５に固定されて非回転の支持されている。表示カバー２８は球形の端板２９を有し、その端板２９の外周上部に表示窓３０が形成されている。
【００２２】
いま、扉Ｂを閉じ、レバー１５を回動して、その先端部を受け具４０に係合させることにより、扉Ｂは閉鎖状態に保持される。前記レバー１５の回転時、回転座１０は一体に回転する。このとき、回転座１０と表示体２３は角軸２７で連結されているため、表示体２３も共に回転し、表示体２３の球形表面２３ａに設けられた使用中の表示が表示窓３０に表示される。
【００２３】
実施形態で示される打掛け錠においては、掛け具１に設けられたレバー１５に第１屈曲部１９ａ、および第２屈曲部１９ｂを形成して、レバー１５の先端部と後端部間に図６（II）に示すパブリックタイプの扉装置における扉Ｂと仕切りパネルＡ間の段差Ｈのほぼ１／２の大きさに相当する段差ｈを設けているため、図６(II)に示すパブリックタイプの扉装置にも使用することができる。
【００２４】
パブリックタイプの扉装置への使用に際しては、図１に示すレバー１５の表裏を反転させ、先端部が固定座２の表面から軸方向に離間される配置として掛け具１を組み立てる。その組立て状態において、図４に示すように、仕切りパネルＡの内面一側部に掛け具１を取付け、扉Ｂの戸先側内面に受け具４０を取り付けることにより、レバー１５の先端部が受け具４０と対応し、上記受け具４０に対してレバー１５の先端部を係脱させることができる。
【００２５】
【発明の効果】
以上のように、この発明においては、レバーの長さ方向中央部に曲げ角度が同一で折曲げ方向が異なる第１屈曲部と第２屈曲部を間隔をおいて設けたことにより、レバーの先端部の位置を考慮して掛け具を組立てることによって、スタンダードタイプの扉装置およびパブリックタイプの扉装置の両方に使用することができ、きわめて経済的である。
【図面の簡単な説明】
【図１】この発明に係る打掛け錠の横断平面図
【図２】図１の正面図
【図３】（Ｉ）は図１のIII −III 線に沿った断面図、（II) は（Ｉ）の右側面図
【図４】この発明に係る打掛け錠をパブリックタイプの扉装置に使用した状態の横断平面図
【図５】図４の正面図
【図６】（Ｉ）、（II）は扉装置の各例を示す平面図
【符号の説明】
Ａ  仕切りパネル
ａ  出入口
Ｂ  扉
１  掛け具
２  固定座
１５  レバー
１９ａ  第１屈曲部
１９ｂ  第２屈曲部
【図１】
0004390380.tif 000002
【図２】
0004390380.tif 000003
【図３】
0004390380.tif 000004
【図４】
0004390380.tif 000005
【図５】
0004390380.tif 000006
【図６】
0004390380.tif 000007